(57)【要約】【課題】  操作し易く且つ安全に自己注射を行うことができる注射器補助具を提供することを課題とする。【解決手段】  注射剤が充填される筒状のバレル及び該バレルの軸線方向における一端に設けられる注射針を有する注射器本体と、該注射針を覆うようにして該注射器本体に装着されるキャップとを備える注射器に取り付けられ、バレルの軸線方向に直交する抜差方向で注射器本体を抜差可能な筐体と、該筐体に差し込まれた注射器本体からキャップを取り外す取外部材と、注射器本体の筐体からの抜き取りを規制する抜取規制部と、筐体に対して起倒可能である操作部とを備え、該操作部の筐体に対する引起操作及び押倒操作に伴って、取外部材と抜取規制部とを作動させる。【選択図】図１
2017189515.tif 000002
【特許請求の範囲】
【請求項１】
注射剤が充填される筒状のバレル及び該バレルの軸線方向における一端に設けられる注射針を有する注射器本体と、該注射針を覆うようにして該注射器本体に装着されるキャップとを備える注射器に取り付けて用いられる注射器補助具であって、前記バレルの軸線方向に直交する抜差方向で前記注射器本体を抜差可能な筐体と、該筐体に差し込まれた前記注射器本体から前記キャップを取り外すための取外部材と、前記筐体からの前記注射器本体の抜き取りを規制可能な抜取規制部と、前記筐体に対して起倒可能に取り付けられ且つ前記取外部材及び該抜取規制部を作動させるように構成される操作部とを備え、該操作部が前記筐体に対して引き起こされた引起状態から前記筐体に対して押し倒された押倒状態に切り替わるに伴って、前記取外部材が前記注射器本体から前記キャップを取り外すとともに前記抜取規制部が前記筐体からの前記注射器本体の抜き取りを規制し、前記操作部が前記押倒状態から前記引起状態に切り替わるに伴って、前記抜取規制部が前記筐体からの前記注射器本体の抜き取りに対する規制を解除するように構成される注射器補助具。
【請求項２】
前記筐体は、前記軸線方向における一端から前記注射針を外部に突出させるように構成され、前記操作部は、前記筐体に対して回転可能に取り付けられるとともに、前記筐体への取付位置から延出するように構成されるレバー部を有し、該レバー部の先端部は、前記取付位置よりも前記軸線方向における前記筐体の他端側に配置される請求項１に記載の注射器補助具。
【請求項３】
前記操作部は、前記引起状態で、前記レバー部が前記取付位置から先端部側になるにつれて前記筐体から徐々に離間するようにして前記筐体の外面に対して傾斜した姿勢となるように構成される請求項２に記載の注射器補助具。
【請求項４】
前記操作部は、前記押倒状態において、前記レバー部の先端部が前記軸線方向で前記筐体の他端よりも突出した位置に配置される請求項２又は請求項３に記載の注射器補助具。
【発明の詳細な説明】
【技術分野】
【０００１】
本発明は、自己注射を行う際に注射器に取り付けて使用する注射器補助具に関する。
【背景技術】
【０００２】
従来から、患者が注射器を使用して自身に注射剤を投与する自己注射が行われている。自己注射に用いられる注射器は、注射剤が充填される筒状のバレル及び該バレルの軸線方向における一端に設けられる注射針を有する注射器本体と、該注射針を覆うようにして該注射器本体に装着されるキャップとを備えている。
【０００３】
前記注射器を用いて自己注射を行う場合、患者は、注射器本体からキャップを取り外して注射針を露出させ、注射針を適切な穿刺深度で人体に穿刺することになる。しかしながら、注射針の穿刺深度を調整することは難しく、また、患者の容体によっては注射器本体からキャップを取り外すことも困難なことがある。
【０００４】
そこで、患者が簡単且つ適切に自己注射を行えるようにするための注射器補助具が提供されている。
【０００５】
かかる注射器補助具は、注射器が配置される本体と、該本体に対して開閉自在であるカバー部と、注射器本体からキャップを取り外すための抜去機構部とを備えている（例えば、特許文献１参照）。
【０００６】
本体は、配置された注射器本体の注射針を適切な穿刺深度に対応させて外部に突出させるように構成されている。
【０００７】
カバー部は、本体に回転可能に連結されており、回転に伴って本体上を覆った閉状態と、本体上を開放した開状態とに切り替わるように構成されている。
【０００８】
抜去機構部は、カバー部の開状態から閉状態への切り替えに連動して注射器本体からキャップを取り外すように構成されている。
【０００９】
前記注射器補助具を用いて自己注射を行う場合、患者は、注射器を本体に配置した後にカバー部を回転させて閉状態に切り替える。これに伴い、注射器が本体とカバー部との間に固定されるとともに、取外部材によって注射器本体からキャップが取り外される。そして、患者は、本体から突出している注射針を自身に穿刺することで自己注射を行っている。
【先行技術文献】
【特許文献】
【００１０】
【特許文献１】特開２０１４−３６８７９号公報
【発明の概要】
【発明が解決しようとする課題】
【００１１】
ところで、前記注射器補助具は、カバー部を回転させて開状態と閉状態とを切り替えるように構成されているため、患者は、一方の手で本体を保持しながら他方の手でカバー部を操作して回転させている。
【００１２】
従って、前記注射器補助具では、カバー部を開閉させる度に患者が両手を使用することになるため、本体への注射器の固定から注射後の注射器を取り出すまでの一連の操作において作業者が何度も本体を持ち替える必要があり煩雑であった。
【００１３】
また、前記注射器補助具では、カバー部を閉じるとともに注射器本体からキャップが取り外されるため、本体とカバー部との間に注射器がセットされた時点から注射針が露出し続けることになり安全性に欠けていた。
【００１４】
そこで、本発明は、斯かる実情に鑑み、操作し易く且つ安全に自己注射を行うことができる注射器補助具を提供することを課題とする。
【課題を解決するための手段】
【００１５】
本発明の注射器補助具は、注射剤が充填される筒状のバレル及び該バレルの軸線方向における一端に設けられる注射針を有する注射器本体と、該注射針を覆うようにして該注射器本体に装着されるキャップとを備える注射器に取り付けて用いられる注射器補助具であって、前記バレルの軸線方向に直交する抜差方向で前記注射器本体を抜差可能な筐体と、該筐体に差し込まれた前記注射器本体から前記キャップを取り外すための取外部材と、前記筐体からの前記注射器本体の抜き取りを規制可能な抜取規制部と、前記筐体に対して起倒可能に取り付けられ且つ前記取外部材及び該抜取規制部を作動させるように構成される操作部とを備え、該操作部が前記筐体に対して引き起こされた引起状態から前記筐体に対して押し倒された押倒状態に切り替わるに伴って、前記取外部材が前記注射器本体から前記キャップを取り外すとともに前記抜取規制部が前記筐体からの前記注射器本体の抜き取りを規制し、前記操作部が前記押倒状態から前記引起状態に切り替わるに伴って、前記抜取規制部が前記筐体からの前記注射器本体の抜き取りに対する規制を解除するように構成される。
【００１６】
上記構成の注射器補助具は、筐体に対して起倒可能に取り付けられる操作部の押倒操作及び引起操作に伴って、筐体からの注射器本体の抜き取りを規制可能な抜取規制部と、筐体に差し込まれた注射器の注射器本体からキャップを取り外すための取外部材とが作動するように構成されているため、患者は、筐体を片手で掴んだままの状態で、筐体への注射器の差し込みから注射後の注射器本体の取り出しまでの一連の操作を行うことができる。
【００１７】
従って、前記注射器補助具は、患者が自己注射を行う際に、筐体を持ち替える手間を抑えることができる。
【００１８】
また、前記注射器補助具は、操作部が前記引起状態から前記押倒状態に切り替わるに伴って、取外部材が注射器本体からキャップを取り外すとともに、抜取規制部が筐体からの注射器本体の抜き取りを規制するように構成されるため、患者は、筐体に注射器を差し込んだ後に、自身の所望するタイミングで注射器本体をキャップから取り外すことができる。
【００１９】
従って、前記注射器補助具は、自己注射が行われる直前（注射針が人体に穿刺される直前）まで注射器本体にキャップが装着されたままの状態で取り扱うことができる。
【００２０】
また、本発明の注射器補助具において、前記筐体は、前記軸線方向における一端から前記注射針を外部に突出させるように構成され、前記操作部は、前記筐体に対して回転可能に取り付けられるとともに、前記筐体への取付位置から延出するように構成されるレバー部を有し、該レバー部の先端部は、前記取付位置よりも前記軸線方向における前記筐体の他端側に配置されるようにしてもよい。
【００２１】
かかる構成によれば、レバー部の先端部が、筐体における注射針を突出させる一端側とは反対側の他端側に配置されるため、患者が筐体の一端側に小指を沿えて該筐体を握った状態において、レバー部の先端部を親指や人差指の近くに配置することができる。従って、前記注射器補助具では、患者が自己注射を行う際に、操作部の押倒操作及び引起操作を容易に行うことができる。
【００２２】
本発明の注射器補助具において、前記操作部は、前記引起状態で、前記レバー部が前記取付位置から先端部側になるにつれて前記筐体から徐々に離間するようにして前記筐体の外面に対して傾斜した姿勢となるように構成されていてもよい。
【００２３】
かかる構成によれば、操作部が引起状態に切り替えられている状態において、筐体に対するレバー部の開き角度が抑えられるため、患者が筐体を握った状態で操作部の押倒操作を容易に行うことができる。
【００２４】
さらに、本発明の注射器補助具において、前記操作部は、前記押倒状態において、前記レバー部の先端部が前記軸線方向で前記筐体の他端よりも突出した位置に配置されるように構成されていてもよい。
【００２５】
かかる構成によれば、操作部が押倒状態のときにレバー部の先端部が前記軸線方向で筐体の他端よりも突出した位置に配置されるため、操作部を押倒状態から引起状態に切り替える際にレバー部の先端部を操作し易くすることができる。
【発明の効果】
【００２６】
以上のように、本発明の注射器補助具によれば、使用し易く且つ安全に自己注射を行うことができるという優れた効果を奏し得る。
【図面の簡単な説明】
【００２７】
【図１】図１は、本発明の一実施形態に係る注射器補助具の斜視図である。
【図２】図２は、同実施形態に係る注射器補助具の平面図である。
【図３】図３は、同実施形態に係る注射器補助具の分解図であって、操作部が引起状態であるときの分解図である。
【図４】図４は、同実施形態に係る注射器補助具の分解図であって、操作部が押倒状態であるときの分解図である。
【図５】図５は、同実施形態に係る注射器補助具の断面図であって、図２のＶ−Ｖ線で筐体のみを切断した断面図である。
【図６】図６は、同実施形態に係る注射器補助具の断面図であって、図２のＶＩ−ＶＩ線における断面図である。
【図７】図７は、同実施形態に係る注射器補助具のベース部の平面図である。
【図８】図８は、同実施形態に係る注射器補助具のカバー部の平面図である。
【図９】図９は、同実施形態に係る注射器補助具のカバー部の底面図である。
【図１０】図１０は、同実施形態に係る注射器補助具の説明図であって、筐体に注射器を差し込んだ状態の説明図である。
【図１１】図１１は、同実施形態に係る注射器補助具の説明図であって、操作部を押倒状態に切り替えた状態の説明図である。
【図１２】図１２は、同実施形態に係る注射器補助具の説明図であって、操作部を引起状態に切り替えた状態の説明図である。
【図１３】図１３は、同実施形態に係る注射器補助具が取り付けられる対象となる注射器の平面図である。
【発明を実施するための形態】
【００２８】
以下、本発明の一実施形態にかかる注射器補助具について、添付図面を参照しつつ説明する。本実施形態に係る注射器補助具は、患者が自己注射を行う際に、注射器に取り付けて使用するものである。
【００２９】
注射器補助具の説明に先立ち、注射器についての説明を行う。注射器は、図１３に示すように、注射剤を人体に投与するために用いられる注射器本体８０を備えている。
【００３０】
注射器本体８０は、注射剤が充填される筒状のバレル８１と、該バレル８１の軸線方向（以下、軸線方向という）の一端に設けられる注射針８２と、バレル８１の他端から挿入され且つ前記軸線方向で移動可能に構成されるプランジャ８３とを備えている。
【００３１】
バレル８１は、筒状のバレル本体部８１０と、該バレル本体部８１０の中心線方向における一端に連設され且つ前記注射針８２が挿入されるノズル部８１１と、前記バレル本体部８１０の中心線方向における一端に連設され且つ該ノズル部８１１を取り囲む環状部８１２と、該バレル本体部８１０の他端の外周全周から径外方向に突出するフランジ部８１３とを有する。
【００３２】
環状部８１２の外径は、バレル本体部８１０の外径よりも小さくなっている。
【００３３】
プランジャ８３は、棒状のロッド８３０と、該ロッド８３０の長手方向における一端に固定され且つバレル本体部８１０の内周面全周に亘って密接するガスケット８３１と、ロッド８３０の長手方向における他端に設けられる頭部８３２とを有する。
【００３４】
さらに、注射器８は、注射針８２を覆うようにして該注射器本体８０に装着されるキャップ８４を備えている。キャップ８４は、環状部８１２に外嵌させて注射器本体８０に装着するように構成されている。また、注射器８は、注射器本体８０と該注射器本体８０に装着されたキャップ８４との間に隙間が形成されるように構成されている。
【００３５】
注射器補助具は、図１、及び図２に示すように、前記軸線方向に直交する方向（バレル８１の径外方向）で注射器本体８０を抜差可能な筐体２と、筐体２に対して起倒可能に取り付けられる操作部３と、キャップ８４を注射器本体８０から取り外すための取外部材４と、筐体２からの注射器本体８０の抜き取りを規制可能な抜取規制部５と、筐体２に対する操作部３の押倒操作及び引起操作に連動させて取外部材４及び抜取規制部５を作動させるための作動機構６（図３，４参照）と、操作部３の引起操作をロック可能に構成されるロック機構７（図４参照）とを備える。
【００３６】
なお、本実施形態では、バレル８１の径外方向で注射器本体８０を筐体２に対して抜き差しする方向を抜差方向とし、前記軸線方向及び前記抜差方向のそれぞれに直交する方向を幅方向として以下の説明を行うこととする。
【００３７】
筐体２は、図１，２に示すように、前記軸線方向、及び前記軸線方向に直交する方向で開放する配置空間が形成される筐体本体部２０と、配置空間に差し込まれた注射器本体８０を受ける受止部２１と、配置空間に差し込まれた注射器本体８０の前記軸線方向での移動を規制する位置決部２２と、筐体本体部２０に形成され且つ操作部３が取り付けられる被取付部２３とを有する（図５参照）。
【００３８】
また、筐体２は、筐体本体部２０内において取外部材４を前記軸線方向で案内するガイド構造２４と（図７参照）、取外部材４を前記軸線方向における一方側に向けて付勢するための付勢構造２５とを有する（図６参照）。
【００３９】
配置空間は、筐体本体部２０の前記軸線方向における両端（前端と後端）、及び前記抜差方向における一端（上端）で開放するように形成されている。そのため、筐体本体部２０は、配置空間内に上方から注射器本体８０が差し込まれると、前端からはキャップ８４（注射針８２）が突出し、後端からはプランジャ８３が突出した状態になるように構成されている。
【００４０】
本実施形態に係る筐体本体部２０は、前記軸線方向を中心とする周方向で丸みを帯びるように形成される周壁部２００と、該周壁部２００の前記軸線方向における一端（前端）に形成される前壁部２０１と、該周壁部２００の前記軸線方向における他端（後端）に形成される後壁部２０２とを有する。
【００４１】
周壁部２００は、下方側に膨らむようにして湾曲した形状のベース部２０３と、該ベース部２０３上に取り付けられるカバー部２０４とを有する。
【００４２】
ベース部２０３は、図７に示すように、後壁部２０２から前壁部２０１側に延びるように配置されるベース側長壁部２０３ａと、該ベース側長壁部２０３ａから前壁部２０１側に向けて延出するベース側短壁部２０３ｂとを有する。
【００４３】
ベース側長壁部２０３ａは、筐体本体部２０内において前記軸線方向及び前記幅方向に広がる内平面２０３ｃを有する底部２０３ｄと、前記幅方向における該底部２０３ｄの両側から延出する一対の側壁部２０３ｅとを有する。
【００４４】
一対の側壁部２０３ｅは、底部２０３ｄから上方に延出するとともに、筐体本体部２０の外側に向けて膨らむようにして湾曲している（前記幅方向で互いに離間する方向に膨らむようにして湾曲している）。
【００４５】
なお、本実施形態に係る側壁部２０３ｅは、後壁部２０２から前壁部２０１側に向けて延びるとともに外形が大きくなるベース側拡張部２０３ｆと、該ベース側拡張部２０３ｆから前壁部２０１側に延出するとともに外形が小さくなるベース側絞部２０３ｇとを有する。
【００４６】
一対のベース側拡張部２０３ｆは、基端部（後壁部２０２に連続する端部）側から先端部（ベース側絞部２０３ｇに連続する端部）側になるにつれて互いの間隔が徐々に広がるように形成されている。これに伴い、一対のベース側拡張部２０３ｆでは、基端側から先端側になるにつれて、それぞれの外面が筐体本体部２０の外側に徐々に広がるように傾斜している。
【００４７】
本実施形態に係る一方のベース側拡張部２０３ｆの基端側には、切欠（以下、ベース側切欠）２０３ｈが形成されている。ベース側切欠２０３ｈは、一方のベース側拡張部２０３ｆの基端から前記軸線方向に沿って延びるベース側第一端縁２０３ｉと、該ベース側第一端縁２０３ｉに直交するベース側第二端縁２０３ｊとによって画定されている。
【００４８】
ベース側絞部２０３ｇは、ベース側拡張部２０３ｆの先端から前壁部２０１側に延出している。一対のベース側絞部２０３ｇは、基端側から先端側になるにつれて筐体本体部２０の内側に向けて傾斜するように形成されている。これに伴い、一対のベース側絞部２０３ｇでは、基端側から先端側になるにつれて、それぞれの外面が筐体本体部２０の内側に向かうように傾斜している。
【００４９】
カバー部２０４は、図８、及び図９に示すように、前記幅方向で互いに間隔をあけて配置される一対の被覆壁部２０４ａと、該被覆壁部２０４ａから垂下する一対の垂下壁部２０４ｂとを有する。
【００５０】
被覆壁部２０４ａは、後壁部２０２から前壁部２０１側に延びるカバー側長壁部２０４ｃと、該カバー側長壁部２０４ｃから前壁部２０１に向けて延出するカバー側短壁部２０４ｄとを有する。
【００５１】
各カバー側長壁部２０４ｃは、ベース側長壁部２０３ａの先端に対応する位置から上方に向かうにつれて互いに接近するように湾曲している。
【００５２】
なお、本実施形態に係るカバー側長壁部２０４ｃは、後壁部２０２から前壁部２０１側に向けて延びるとともに外形が大きくなるカバー側拡張部２０４ｅと、該カバー側拡張部２０４ｅから前壁部２０１側に延出するとともに外形が小さくなるカバー側絞部２０４ｆとを有する。
【００５３】
一対のカバー側拡張部２０４ｅは、基端部（後壁部２０２に連続する端部）側から先端部（カバー側絞部２０３ｆに連続する端部）側になるにつれて互いの間隔が徐々に広がるように形成されている。これに伴い、一対のカバー側拡張部２０４ｅでは、それぞれの外面が、筐体本体部２０の外側に徐々に広がるように傾斜している。
【００５４】
本実施形態に係る一方のカバー側拡張部２０４ｅの基端側には、切欠（以下、カバー側切欠という）２０４ｇが形成されている。カバー側切欠２０４ｇは、一方のカバー側拡張部２０４ｅの基端から前記軸線方向に沿って延びるカバー側第一端縁２０４ｈと、該カバー側第一端縁２０４ｈに直交するカバー側第二端縁２０４ｉとによって画定されている。
【００５５】
また、各カバー側拡張部２０４ｅには、カバー側拡張部２０４ｅの基端部の上端に切欠（以下、差込用切欠とする）２０４ｊが形成されている。これにより、カバー側拡張部２０４ｅの基端部と後壁部２０２との間には、フランジ部８１３を挿通可能な隙間が形成されている。
【００５６】
カバー側第一端縁２０４ｈは、前記抜差方向でベース側第一端縁２０３ｉと対向するように配置されており、カバー側第二端縁２０４ｉは、前記抜差方向でベース側第二端縁２０３ｊと連続するように配置されている。そのため、本実施形態に係る周壁部２００では、ベース側切欠２０３ｈと、カバー側切欠２０４ｇとによって一つの凹部（以下、取付用凹部という）が画定されている。
【００５７】
さらに、本実施形態に係る各カバー側拡張部２０４ｅの上端側には、部分的に下方側に湾曲させた湾曲面２０４ｋが形成されている。
【００５８】
カバー側絞部２０４ｆは、カバー側拡張部２０４ｅの先端から前壁部２０１側に延出している。一対のカバー側絞部２０４ｆは、基端側から先端側になるにつれて筐体本体部２０の内側に向けて傾斜するように形成されている。これに伴い、一対のカバー側絞部２０４ｆでは、基端側から先端側になるにつれて、それぞれの外面が筐体本体部２０の内側に向けて傾斜している。
【００５９】
垂下壁部２０４ｂは、被覆壁部２０４ａの上端から垂下するように形成されている。垂下壁部２０４ｂは、カバー側長壁部２０４ｃの一部とカバー側短壁部２０４ｄとに跨って延びるように形成されている。さらに、本実施形態では、一方の垂下壁部２０４ｂに出退用凹部２０４ｌが形成されている（図９参照）。
【００６０】
前壁部２０１は、カバー部２０４と一体的に形成されており、注射が行われる際に人体に突き当てられる部分である。前壁部２０１は、図１に示すように、前記軸線方向で周壁部２００と並ぶ前壁本体部２０１ａと、該前壁本体部２０１ａから周壁部２００よりも外方に延出する一対の延出部２０１ｂとを有する。
【００６１】
前壁本体部２０１ａには、下方に向けて凸状に湾曲する凹部が形成されている。また、前壁本体部２０１ａの凹部は、前記軸方向において被覆壁部２０４ａの間の空間と対応する位置に形成されている。
【００６２】
一対の延出部２０１ｂは、前記幅方向で間隔をあけて並ぶように配置されている。また、本実施形態に係る前壁部２０１では、一対の延出部２０１ｂの間の間隔と、前壁本体部２０１ａの凹部の幅（前記幅方向での幅）とが対応するように構成されている。
【００６３】
また、前壁部２０１には、前記軸方向において被覆壁部２０４ａの間の空間と対応する位置から前記抜差方向に沿って上方に延びる前壁側凹部２０１ｃが形成されており、該前壁側凹部２０１ｃは、前記軸方向において被覆壁部２０４ａの間の空間と連通している。
【００６４】
後壁部２０２は、カバー部２０４と一体的に形成されている。後壁部２０２には、図６に示すように、前記抜差方向における上方に向けて開放する後壁側凹部２０２ａであって、前記軸方向において被覆壁部２０４ａの間の空間と連通する後壁側凹部２０２ａが形成されている。
【００６５】
また、後壁部２０２は、筐体本体部２０の内側に位置する内側壁面２０２ｂを有する。
【００６６】
ここで、本実施形態に係る筐体本体部２０は、カバー部２０４をベース部２０３上に固定するための固定構造２０５をさらに有する。固定構造２０５は、ベースに形成される被係止部２０５ａと、該被係止部２０５ａに係止させることでカバー部２０４をベース部２０３上に固定する係止部２０５ｂとを有する。
【００６７】
被係止部２０５ａは、前記軸方向でベース側短壁部２０３ｂの先端から延出する前側爪部２０５ｃと、前記軸方向でベース側長壁部２０３ａの基端から延出する後側爪部２０５ｄとを有する。なお、ベース側短壁部２０３ｂの先端には、前記幅方向に間隔をあけて二つの前側爪部２０５ｃが形成されている（図７参照）。
【００６８】
係止部２０５ｂは、前壁部２０１を貫通するように形成された前側係止孔２０５ｅと、後壁部２０２を貫通するように形成された後側係止孔２０５ｆとで構成されている。なお、前壁部２０１には、前記幅方向に間隔をあけて二つの前側係止孔２０５ｅが形成されている（図８参照）。
【００６９】
従って、筐体本体部２０は、前側係止孔２０５ｅに前側爪部２０５ｃを挿通させ、後側係止孔２０５ｆに後側爪部２０５ｄを挿通させることによって、カバー部２０４をベース部２０３上に固定されるように構成されている。
【００７０】
受止部２１は、図８及び図９に示すように、前記幅方向で間隔をあけて配置されるとともに、被覆壁部２０４ａの上端（本実施形態では、カバー側長壁部２０４ｃの上端）に連設される一対の架橋部２１０と、該架橋部２１０のそれぞれに連続する載置部２１１とを有する。
【００７１】
架橋部２１０は、被覆壁部２０４ａの上端から垂下している。また、前記幅方向における架橋部２１０の間隔は、前記幅方向における被覆壁部２０４ａの上端の間隔に対応している。
【００７２】
載置部２１１は、架橋部２１０に連設される端部から前記幅方向における中央部側になるにつれて下方側に湾曲している。
【００７３】
本実施形態に係る受止部２１は、配置領域内でカバー部２０４の後端側に設けられており、前記軸線方向において後壁部２０２との間に隙間が形成されるように配置されている。また、前記軸線方向における受止部２１（受止部２１の前記軸線方向における一端２１２）と後壁部２０２との隙間は、フランジ部８１３を挿通できる広さとなっている。そのため、各架橋部２１０と後壁部２０２との間、及び載置部２１１と後壁部２０２との間には、フランジ部８１３を挿通可能となっている。
【００７４】
このように、筐体２は、受止部２１が注射器本体８０を受けたときに、該注射器本体８０のフランジ部８１３が受止部２１の一端２１２と後壁の内壁面２０２ｂとの間に差し込まれるように構成することで、注射器本体８０の前記軸方向での移動を規制できるようにしている。従って、本実施形態に係る位置決部２２は、後壁部２０２の内壁面と受止部２１の一端２１２とによって構成されている。
【００７５】
本実施形態に係る被取付部２３は、図５に示すように、ベース部２０３に形成される取付軸部（以下、ベース側取付軸部という）２３０と、カバー部２０４に形成される取付軸部（以下、カバー側取付軸部という）２３１とで構成されている。
【００７６】
ベース側取付軸部２３０と、カバー側取付軸部２３１とは、前記抜差方向で互いに対応する位置に配置されている。また、ベース側取付軸部２３０とカバー側取付軸部２３１とは、それぞれ軸方向が前記抜差方向に対応するように形成されている。
【００７７】
ガイド構造２４は、底部２０３ｄの内平面２０３ｃ上に配置されている取外部材４を前記軸線方向で案内するように構成されている。本実施形態に係るガイド構造２４は、図５及び図７に示すように、前記軸線方向で真っ直ぐに延びるようにして底部２０３ｄの内平面２０３ｃに形成されたガイド溝２４０と、取外部材４の底部２０３ｄの内平面２０３ｃからの分離を防止するための分離防止部２４１とで構成されている。
【００７８】
分離防止部２４１は、前記幅方向におけるガイド溝２４０の両側に一つずつ形成されている。各分離防止部２４１は、図５に示すように、底部２０３ｄの内平面２０３ｃから起立する起立片２４１ａと、該起立片２４１ａから隣り合う起立片２４１ａに向けて突出する突出片２４１ｂとを有する。起立片２４１ａと突出片２４１ｂとは、前記軸線方向に沿って延びるように形成されている。
【００７９】
付勢構造２５は、図６に示すように、筐体本体部２０の前端側から後端側に向けて取外部材４を付勢するように構成されている。より具体的に説明すると、付勢構造２５は、前記軸線方向で伸縮するように筐体本体部２０内に配置される付勢部材２５０と、ベース部２０３に形成され且つ該付勢部材２５０の伸縮方向における一端が取り付けられる固定側取付部２５１と、取外部材４に形成され且つ付勢部材２５０の伸縮方向における他端が取り付けられる可動側取付部２５２とを有する。
【００８０】
付勢部材２５０は、圧縮コイルバネであり、可動側取付部２５２と固定側取付部２５１とを前記軸線方向において互いに離間する方向に付勢している。
【００８１】
固定側取付部２５１は、前記ベース部２０３内で起立する固定側受圧部２５１ａと、該固定側受圧部２５１ａから前記軸線方向において可動側取付部２５２に向けて延出する固定側取付軸２５１ｂとを有する。
【００８２】
可動側取付部２５２は、前記軸線方向において固定側受圧部２５１ａに対向する可動側受圧部２５２ａと、該可動側受圧部２５２ａから前記軸線方向において固定側取付軸２５１ｂに向けて延出する可動側取付軸２５２ｂとを有する。そのため、固定側受圧部２５１ａと可動側受圧部２５２ａとは、付勢部材２５０によって、常時、前記軸線方向で互いに離間する方向に付勢されている。
【００８３】
操作部３は、図３及び図４に示すように、筐体２に取り付けられ且つ筐体２への取付位置から前記筐体２の他端側に向かって延出するレバー部３０と、レバー部３０の動きに連動させて取外部材４と抜取規制部５とを作動させる作動連結部３１とを有する。
【００８４】
レバー部３０は、筐体２に回転可能に取り付けられる基端と、筐体２の他端側に配置される先端とを有する回転連結部３００と、該回転連結部３００の先端に連設される押引部３０１とを有する。
【００８５】
回転連結部３００は、図４に示すように、操作部３が引起状態から押倒状態に切り替えられた状態で取付用凹部を塞ぐように構成される外壁形成部３００ａと、前記抜差方向における外壁形成部３００ａの両端から筐体２内に向けて延出する一対のリブ３００ｂとを有する。
【００８６】
回転連結部３００は、外面が周壁部２００の外面に対応して湾曲するように形成されている。そのため、回転連結部３００の外面は、操作部３が引起状態から押倒状態に切り替えられると、周壁部２００の外面と対応する位置又は略対応する位置に配置され、操作部３が押倒状態から引起状態に切り替えられると、筐体２の外面に対して傾斜するように配置される。
【００８７】
押引部３０１は、回転連結部３００の先端に連設されている。押引部３０１は、回転連結部３００の外面から起立する突設部３０１ａと、該突設部３０１ａの先端に延設される延設部３０１ｂとを有する。
【００８８】
押引部３０１では、操作部３が押倒状態に切り替えられると、延設部３０１ｂが前記軸線方向において後壁部２０２よりも後ろ側に突出するように構成されている。
【００８９】
各リブ３００ｂには、図５に示すように、前記抜差方向で貫通する挿通孔３００ｃが形成されている。一方のリブ３００ｂの挿通孔３００ｃには、ベース側取付軸部２３０が挿通されている。他方のリブ３００ｂの挿通孔３００ｃには、カバー側取付軸部２３１が挿通されている。そのため、被取付部２３に取り付けられた操作部３は、前記抜差方向に沿って延びる仮想軸線を中心とする周方向において回転可能となっている。
【００９０】
作動連結部３１は、図４に示すように、レバー部３０に形成される平板状の連結板部３１０を有する。連結板部３１０には、前記抜差方向で貫通する連結用挿通孔３１０ａが形成されている。連結用挿通孔３１０ａは、連結板部３１０に形成された長孔によって構成されており、後述する連結軸部４２１が挿通されている。
【００９１】
取外部材４は、筐体２内で前記軸線方向において往復動可能であり、前記軸線方向での移動（後壁部２０２側から前壁側への移動）に伴って、注射器本体８０からキャップ８４を外すように構成されている。
【００９２】
取外部材４は、前記軸線方向でキャップ８４を押すための押出部４０と、該押出部４０に連設され且つ筐体２内において前記軸線方向でガイド構造２４に案内される被ガイド部４１と（図５参照）、操作部３の動きを押出部４０の動きに連動させるための連結部４２とを有する。
【００９３】
押出部４０は、バレル本体部８１０の一端側が配置される配置部４００と、該配置部４００に配置されたバレル本体部８１０とキャップ８４との間に配置される押出爪部４０１とを有する。
【００９４】
配置部４００は、前記抜差方向でバレル本体部８１０が載せられる載置面部４００ａと、前記抜差方向において該載置面から起立するとともに、前記幅方向において互いに間隔をあけて配置される一対の起立部４００ｂとを有する。
【００９５】
前記載置面部４００ａは、バレル本体部８１０の外形に対応して湾曲するように形成されている。前記幅方向における起立部４００ｂ同士の間隔は、バレル本体部８１０の外径よりも僅かに大きくなるように設定されている。
【００９６】
押出爪部４０１は、各起立部４００ｂに一つずつ形成されている。各押出爪部４０１は、前記幅方向で隣り合うように配置されている。また、各押出爪部４０１は、起立部４００ｂから互いに接近する方向で突出している。なお、押出爪部４０１同士の間隔は、キャップ８４の外径よりも小さく、且つ環状部８１２の外径よりも大きくなるように設定されている。
【００９７】
被ガイド部４１は、図５に示すように、前記抜差方向に突出する被案内片４１０と、前記幅方向において被ガイド部４１の両側から延出する一対の抜止片４１１とを有する。
【００９８】
被案内片４１０は、前記軸線方向に沿って延びた形状となっており、ガイド溝２４０内に配置されている。
【００９９】
抜止片４１１は、前記軸線方向に沿って延びた形状となっており、底部２０３ｄと、突出片２４１ｂとの間に配置されている。
【０１００】
連結部４２は、図４に示すように、押出部４０に連設される連結片部４２０と、該連結片部４２０から突出する連結軸部４２１とを有する。連結軸部４２１は、前記軸線方向で押出部４０と対応する領域から外れた位置に配置されている。
【０１０１】
抜取規制部５は、出退凹部を通じて筐体２内から被覆壁部２０４ａ間に進出した状態と、被覆壁部２０４ａ間から筐体２内に退避した状態とに切り替わるように構成されている。抜取規制部５は、連結板部３１０に立設されているため、操作部３の押倒状態又は引起状態への切り替えに伴って、被覆壁部２０４ａ間に進出した状態と筐体２内に退避した状態とに切り替わる。
【０１０２】
また、抜取規制部５は、図５及び図６に示すように、バレル本体部８１０の外形に対応した形状の抜止凹部５０が形成されており、被覆壁部２０４ａ間に進出すると、バレル本体部８１０の下部から側部及び上部に亘る部分に当接するように構成されている。
【０１０３】
本実施形態に係る抜取規制部５は、前記抜差方向で間隔をあけて並ぶ一対の抜止部５１と、該一対の抜止部５１のそれぞれに連続する接続部５２とを有する。
【０１０４】
一方の抜止部５１は、連結片部４２０に連設されている。そのため、抜取規制部５は、被覆壁部２０４ａ間に進出すると、一方の抜止部５１がバレル本体部８１０の下方に配置され、他方の抜止部５１がバレル本体部８１０の上方に配置され、接続部５２がバレル本体部８１０の側方に配置されるように構成されている。
【０１０５】
作動機構６は、操作部３の押倒操作又は引起操作と、取外部材４の前記軸線方向での移動とを連動させるように構成されている。本実施形態に係る作動機構６は、図３、図４に示すように、操作部３の作動連結部３１と、取外部材４の連結部４２によって構成されている。
【０１０６】
ロック機構７は、押倒状態に切り替えられている操作部３の引起操作をロック可能な引起ロック構造を有する。
【０１０７】
引起ロック構造は、図４に示すように、筐体２内に形成される被引掛部７０と、該被引掛部７０に掛止可能に構成され且つレバー部３０に形成される引掛部７１とを有する。
【０１０８】
被引掛部７０は、筐体本体部２０内に形成されている。また、被引掛部７０は、軸状に形成されており、軸方向が前記抜差方向に対応するように構成されている。なお、本実施形態に係る被引掛部７０は、ベース部２０３から前記抜差方向に延出するように形成されている。
【０１０９】
引掛部７１は、一方のリブ３００ｂに形成されている。より具体的に説明すると、引掛部７１は、一方のリブ３００ｂに形成され且つ被引掛部７０を嵌込可能な凹部によって構成されている。
【０１１０】
そのため、引起ロック構造は、引掛部７１を構成する凹部内に被引掛部７０が嵌め込まれたときに、操作部３の引起操作をロックするように構成されている。
【０１１１】
なお、本実施形態では、上述のように、付勢構造２５が取外部材４を前記軸線方向における一方側に向けて付勢している。そのため、付勢構造２５は、間接的に操作部３を引起状態に切り替えるように付勢している。従って、付勢構造２５は、押倒操作をロックする押倒ロック構造としての機能も兼ねている。
【０１１２】
本実施形態に係る注射器補助具１は、以上の構成である。続いて、注射器補助具１の使用方法について説明する。
【０１１３】
患者は、注射器補助具１を使用して自己注射を行うにあたり、該注射器補助具１を筐体２に注射器８（キャップ８４が装着された状態の注射器本体８０）を差し込む。
【０１１４】
より具体的に説明すると、注射器本体８０は、筐体本体部２０の配置空間内に上方から差し込まれる。
【０１１５】
これに伴い、フランジ部８１３が後壁部２０２と差込用切欠２０４ｊとの間を通過して後壁部２０２の内壁面と受止部２１の一端２１２との間に差し込まれ、注射器本体８０の前記軸線方向での移動が規制される。より具体的に説明すると、注射器本体８０は、前壁側に移動しようとするとフランジ部８１３が受止部２１の一端２１２に引っ掛かかり、後壁側に移動しようとするとフランジ部８１３が後壁の内壁面に引っ掛かかるため、前記軸線方向での移動が規制された状態になる。
【０１１６】
また、プランジャ８３のロッド８３０が後壁側凹部２０２ａ内に差し込まれ、バレル本体部８１０が被覆壁部２０４ａの間に差し込まれ、キャップ８４が前壁側凹部２０１ｃ内に差し込まれる。そして、注射器本体８０（バレル本体部８１０）とキャップ８４との間の隙間には、押出爪部４０１が差し込まれる。このようにして、注射器補助具１に注射器８がセットされる。
【０１１７】
続いて、患者は、図１０に示すように、周壁部２００の後端側に人差指を添え、周壁部２００の前端側に小指を添えるようにして筐体２を掴む。
【０１１８】
そして、図１１に示すように、患者が自己注射を行いたいタイミングに合わせて操作部３を引起状態から押倒状態に切り替えると、キャップ８４が注射器本体８０から取り外されて注射針８２が露出し且つ筐体２からの注射器本体８０の抜き取りが規制される。
【０１１９】
より具体的に説明する。患者が親指で押引部３０１の延設部３０１ｂを筐体２に向けて押し操作すると、レバー部３０が筐体２への取付位置を中心として回転する。本実施形態では、レバー部３０がベース側取付軸部２３０及びカバー側取付軸部２３１の軸方向を中心とする周方向で回転する。
【０１２０】
これに伴い、作動連結部３１もレバー部３０の筐体２への取付位置を中心として回転し、該作動連結部３１の回転に連動して抜取規制部５と取外部材４とが作動する。
【０１２１】
このとき、抜取規制部５が筐体２内から被覆壁部２０４ａ間に進出することで、一方の抜止部５１がバレル本体部８１０の上方に配置される。これにより、筐体２からの注射器本体８０の抜き取りが規制される。
【０１２２】
また、取外部材４が前記軸線方向において後壁側から前壁側に移動することで、押出爪部４０１がキャップ８４を押しながら前壁側に向かって移動する。上述のように、注射器本体８０は、前記軸線方向での移動が規制されているため、キャップ８４が注射器本体８０から抜き取られる。このようにして、注射器補助具１にセットされた注射器８が自己注射できる状態になる。
【０１２３】
そして、操作部３が引起状態から押倒状態に切り替えられると被引掛部７０が引掛部７１を構成する凹部内に挿入される。固定側受圧部２５１ａと可動側受圧部２５２ａとは、付勢部材２５０によって、常時、前記軸線方向で互いに離間する方向に付勢されているが、被引掛部７０に引掛部７１内に留まることによって、操作部３の引起操作がロックされる。従って、操作部３の押倒状態から引起状態への切り替えがロックされる。
【０１２４】
そして、患者は、親指でカバー部２０４の上部を抑えるようにして筐体２を握り、注射針８２を注射箇所に穿刺して前壁部２０１を人体に当接させる。この状態で、プランジャ８３の頭部８３２が押し込まれると、バレル８１内の注射剤が人体に投与される。
【０１２５】
自己注射が完了した後、図１２に示すように、操作部３が押倒状態から引起状態に切り替えられると、抜取規制部５が被覆壁部２０４ａの間から筐体２内に退避し、注射器本体８０を筐体２から抜取可能な状態となる。
【０１２６】
本実施形態では、押引部３０１の延設部３０１ｂに親指を引っ掛けて筐体から離れる方向に引き操作すると、レバー部３０とともに作動連結部３１が回転し、該作動連結部３１の回転に連動して抜取規制部５と取外部材４とが作動する。そして、作動連結部３１が抜取規制部５が被覆壁部２０４ａの間から筐体２内に退避するとともに、取外部材４が元の位置に復帰する。
【０１２７】
患者は、前記軸方向で筐体２の前端から突出している注射針８２を人体に穿刺し、さらに、親指でプランジャ８３を押し込むことで自己注射を行う。
【０１２８】
自己注射を行った後に筐体２を握っている手の親指で押引部３０１を引起操作して引掛部７１を被引掛部７０から外すと、操作部３が押倒状態から引起状態に切り替えられるとともに、抜取規制部５が出退凹部を通じて被覆壁部２０４ａ間から筐体２内に退避する。これにより、注射器本体８０を筐体２から抜取可能な状態になる。
【０１２９】
以上のように、本実施形態に係る注射器補助具１は、筐体２に対して起倒可能に取り付けられる操作部３の押倒操作又は引起操作に伴って、筐体２からの注射器本体８０の抜き取りを規制可能な抜取規制部５と、筐体２に差し込まれた注射器８の注射器本体８０からキャップ８４を取り外すための取外部材４とが作動するように構成されているため、患者は、筐体２を片手で掴んだままの状態で、筐体２への注射器８の差し込みから注射後の注射器本体８の取り出しまでの一連の操作を行うことができる。
【０１３０】
従って、注射器補助具１は、患者が自己注射を行う際に、筐体２を持ち替える手間を抑えることができる。
【０１３１】
また、注射器補助具１は、操作部３が引起状態から押倒状態に切り替わるに伴って、取外部材４が注射器本体８０からキャップ８４を取り外すとともに、抜取規制部５が筐体２からの注射器本体８０の抜き取りを規制するように構成されるため、患者は、筐体２に注射器８を差し込んだ後に、自身の所望するタイミングで注射器本体８０からキャップ８４を取り外すことができる。
【０１３２】
従って、注射器補助具１は、自己注射が行われる直前（注射針８２が人体に穿刺される直前）まで注射器本体８０にキャップ８４が装着されたままの状態で取り扱うことができる。
【０１３３】
さらに、本実施形態に係る注射器補助具１では、付勢構造２５が間接的に操作部３を引起状態に切り替えるように付勢しているため、操作部３が患者の意図しないタイミングで引起状態から押倒状態に切り替わることが防止される。
【０１３４】
また、本実施形態に係る注射器補助具１では、ロック機構７によって、操作部３が患者の意図しないタイミングで押倒状態から引起状態に切り替わることが防止される。  従って、本実施形態に係る注射器補助具１は、注射器本体８０が筐体２から脱落したり、患者の意図しないタイミングで注射器本体８０からキャップ８４が取り外されてしまうことが防止される。
【０１３５】
このように、注射器補助具１は、操作し易く且つ安全に自己注射を行うことができる。
【０１３６】
さらに、本実施形態では、レバー部３０の先端部が、筐体２における注射針８２を突出させる一端側とは反対側の他端側に配置されるため、患者が筐体２の前端側に小指を沿えて該筐体２を握った状態において、レバー部３０の先端部を親指や人差指の近くに配置することができる。従って、注射器補助具１では、患者が自己注射を行う際に、操作部３の押倒操作又は引起操作を容易に行うことができる。
【０１３７】
また、本実施形態では、操作部３が引起状態から押倒状態に切り替えられると、レバー部３０の先端部（すなわち、押引部３０１）が前記軸線方向で筐体２の他端よりも突出した位置に配置されるため、操作部３を押倒状態から引起状態に切り替える際に押引部３０１を操作し易くすることができる。
【０１３８】
そして、レバー部３０（回転連結部３００の外面）は、操作部３が引起状態に切り替えられた状態において、筐体２の外面に対して傾斜した姿勢となる（具体的には、レバー部３０が取付位置から先端部側になるにつれて筐体２から徐々に離間するようにして筐体２の外面に対して傾斜した姿勢となる）ように構成されているため、筐体２に対するレバー部３０の開き角度が抑えられ、これにより、患者が筐体２を握った状態で操作部３を容易に押倒操作できるようになる。
【０１３９】
なお、本実施形態に係る注射器補助具１は、上記一実施形態に限定されるものではなく、本発明の要旨を逸脱しない範囲において種々変更を行うことは勿論である。
【０１４０】
上記実施形態において、筐体２は、前記軸線方向における各位置で外径が異なるように形成されていたが、この構成に限定されない。例えば、筐体２は、前記軸線方向における各位置で外径が同一となるように形成されていてもよい。
【０１４１】
また、上記実施形態において、筐体本体部２０では、カバー部２０４に対して前壁部２０１及び後壁部２０２を一体的に形成して単一の部材（以下、カバー体という）とし、該カバー体をベース部に取り付けていたがこの構成に限定されない。例えば、筐体本体部２０では、前壁部２０１がベース部２０３と一体的に形成されていてもよいし、後壁部２０２がベース部２０３と一体的に形成されていてもよい。
【０１４２】
また、上記実施形態において、付勢部材２５０は、操作部３を間接的に付勢していたが、この構成に限定されず、例えば、操作部３を直接的に付勢してもよい。
【０１４３】
また、上記実施形態に係る付勢構造２５では、付勢部材２５０が取外部材４を前壁側から後壁側に向けて押すように付勢していたが、この構成に限定されない。例えば、付勢構造２５では、付勢部材２５０が後壁と取外部材４との間に配置され、且つ取外部材４を後壁側に引っ張るように構成されていてもよい。
【０１４４】
この場合、付勢部材２５０が引張コイルばねで構成され、可動側取付部２５２が取外部材４よりも後壁側に形成された固定側取付部２５１と対向するように構成されていればよい。このように、付勢構造２５では、付勢部材２５０で取外部材４を後壁側に引っ張るように付勢する構成としてもよい。
【０１４５】
また、上記実施形態において、操作部３は、押引部３０１は、屈曲した形状となっていたが、例えば、真っ直ぐに延びる形状としてもよい。この場合、押引部３０１は、回転連結部３００が延出する方向と同方向若しくは回転連結部３００が延出する方向に直交する方向に延びるように形成してもよい。
【０１４６】
また、上記実施形態において特に言及しなかったが、操作部３が引起状態に切り替えられている状態において、筐体２の外面に対する回転連結部３００の外面に対する傾斜角度は、小さく設定されるほど、回転連結部３００を押倒操作し易くすることができる。
【０１４７】
また、上記実施形態における固定構造２０５では、被係止部２０５ａがベース部２０３に形成され、係止部２０５ｂがカバー部２０４に形成されていたが、例えば、被係止部２０５ａがカバー部２０４に形成され、係止部２０５ｂがベース部２０３に形成されていてもよい。すなわち、固定構造２０５は、被係止部２０５ａがベース部２０３又はカバー部２０４の一方に形成され、係止部２０５ｂがベース部２０３又はカバー部２０４の他方に形成されていればよい。
【０１４８】
また、上記実施形態において、前壁部２０１は、前記幅方向で間隔をあけて配置される一対の延出部２０１ｂを備えていたが、この構成に限定されない。例えば、前壁部２０１は、一つの延出部２０１ｂを備えていてもよいし、前壁部２０１は、三つ以上の延出部２０１ｂを備えていてもよい。
【符号の説明】
【０１４９】
１…注射器補助具、２…筐体、３…操作部、４…取外部材、５…抜取規制部、６…作動機構、７…ロック機構、８…注射器、２０…筐体本体部、２１…受止部、２２…位置決部、２３…被取付部、２４…ガイド構造、２５…付勢構造、３０…レバー部、３１…作動連結部、４０…押出部、４１…被ガイド部、４２…連結部、５０…抜止凹部、５１…抜止部、５２…接続部、７０…被引掛部、７１…引掛部、８０…注射器本体、８１…バレル、８２…注射針、８３…プランジャ、８４…キャップ、２００…周壁部、２０１…前壁部、２０１ａ…前壁本体部、２０１ｂ…延出部、２０１ｃ…前壁側凹部、２０２…後壁部、２０２ａ…後壁側凹部、２０２ｂ…内側壁面、２０３…ベース部、２０３ａ…ベース側長壁部、２０３ｂ…ベース側短壁部、２０３ｃ…内平面、２０３ｄ…底部、２０３ｅ…側壁部、２０３ｆ…ベース側拡張部、２０３ｇ…ベース側絞部、２０３ｈ…ベース側切欠、２０３ｉ…ベース側第一端縁、２０３ｊ…ベース側第二端縁、２０４…カバー部、２０４ａ…被覆壁部、２０４ｂ…垂下壁部、２０４ｃ…カバー側長壁部、２０４ｄ…カバー側短壁部、２０４ｅ…カバー側拡張部、２０４ｆ…カバー側絞部、２０４ｇ…カバー側切欠、２０４ｈ…カバー側第一端縁、２０４ｉ…カバー側第二端縁、２０４ｊ…差込用切欠、２０４ｋ…湾曲面、２０４ｌ…出退用凹部、２０５…固定構造、２０５ａ…被係止部、２０５ｂ…係止部、２０５ｃ…前側爪部、２０５ｄ…後側爪部、２０５ｅ…前側係止孔、２０５ｆ…後側係止孔、２１０…架橋部、２１１…載置部、２１２…受止部の一端、２３０…ベース側取付軸部、２３１…カバー側取付軸部、２４０…ガイド溝、２４１…分離防止部、２４１ａ…起立片、２４１ｂ…突出片、２５０…付勢部材、２５１…固定側取付部、２５１ａ…固定側受圧部、２５１ｂ…固定側取軸、２５２…可動側取付部、２５２ａ…可動側受圧部、２５２ｂ…可動側取付軸、３００…回転連結部、３００ａ…外壁形成部、３００ｂ…リブ、３００ｃ…挿通孔、３０１…押引部、３０１ａ…突設部、３０１ｂ…延設部、３１０…連結板部、３１０ａ…連結用挿通孔、４００…配置部、４００ａ…載置面部、４００ｂ…起立部、４０１…押出爪部、４１０…被案内片、４１１…抜止片、４２０…連結片部、４２１…連結軸部、８１０…バレル本体部、８１１…ノズル部、８１２…環状部、８１３…フランジ部、８３０…ロッド、８３１…ガスケット、８３２…頭部
【図１】
2017189515.tif 000003
【図２】
2017189515.tif 000004
【図３】
2017189515.tif 000005
【図４】
2017189515.tif 000006
【図５】
2017189515.tif 000007
【図６】
2017189515.tif 000008
【図７】
2017189515.tif 000009
【図８】
2017189515.tif 000010
【図９】
2017189515.tif 000011
【図１０】
2017189515.tif 000012
【図１１】
2017189515.tif 000013
【図１２】
2017189515.tif 000014
【図１３】
2017189515.tif 000015